(57)【要約】【課題】犬や猫などの家庭において飼育されるペットが室内のソファやベッドなどの段差を容易且つ安全に昇降可能な段差昇降補助具を提供することである。【解決手段】前面に傾斜が形成される基部２と、この基部２を被包する被包部６と、基部２の前面において被包部６の外面に布設される装飾部７とを有し、基部２の前面において基部２と被包部６の間の少なくとも一部に補強部５が介設され、装飾部７は装着具を介して被包部６に対して着脱自在に設けられるものである。【選択図】図２
0003154739.tif 000002
【実用新案登録請求の範囲】
【請求項１】
前面に傾斜が形成される基部と、この基部を被包する被包部と、前記基部の前面において前記被包部の外面に布設される装飾部とを有することを特徴とする段差昇降補助具。
【請求項２】
前面に少なくとも２段の階段を備える基部と、この基部を被包する被包部と、前記基部の前面において前記被包部の外面に布設される装飾部とを有することを特徴とする段差昇降補助具。
【請求項３】
前記基部の前面において、前記基部と前記被包部の間の少なくとも一部に補強部が介設されることを特徴とする請求項１又は請求項２に記載の段差昇降補助具。
【請求項４】
前記装飾部は装着具を介して前記被包部に対して着脱自在に設けられることを特徴とする請求項１乃至請求項３のいずれか１項に記載の段差昇降補助具。
【請求項５】
前記装飾部は一の端部が延設されて前記基部に隣接する家具に敷設可能な延長部を具備することを特徴とする請求項１乃至請求項４のいずれか１項に記載の段差昇降補助具。
【請求項６】
前記基部は発泡スチロールで形成されることを特徴とする請求項１乃至請求項５のいずれか１項に記載の段差昇降補助具。
【請求項７】
前記基部の側面に着脱自在に貼付し、ペット専用具を保持可能な保持部材を具備することを特徴とする請求項１乃至請求項６のいずれか１項に記載の段差昇降補助具。
【請求項８】
前記被包部又は前記装飾部には、持ち運びを容易とするための取っ手が設けられることを特徴とする請求項１乃至請求項７のいずれか１項に記載の段差昇降補助具。
【考案の詳細な説明】
【技術分野】
【０００１】
本考案は、室内における段差を昇降する際に補助を行う段差昇降補助具に関し、特に、室内犬などのペットに適した段差昇降補助具に関する。
【背景技術】
【０００２】
従来より、多くの愛好家によって犬や猫などの動物が家庭で飼育され、家族同様に深い愛情が注がれている。室内においてこれらの犬や猫などのペットを飼育する場合、特に、子犬や子猫或いは老犬や老猫では、ソファやベッドなどへの昇降時に脱臼するなどして足腰を痛めたり、また、ソファなどの家具では昇降時のペットの爪によって損傷したりするという不具合が生じている。このような不具合を解消し、飼い主とペットが快適に過ごすために様々な商品が開発及び販売されている。
【０００３】
例えば、特許文献１には、「ペット用ベッド」という名称で、ペットが快適且つ安心して過ごすことができるペット用ベッドに関する発明が開示されている。
この特許文献１に開示された発明は、上面又は前面の一部に出入口を有する収納空間を備え、この収納空間は、出入口の下縁よりも低い位置に設けられる奥低部と、出入口と奥低部を連結し出入口から奥低部まで下り傾斜が形成されるスロープを具備するものである。
そして、ペットは出入口からスロープを通って収納空間に入ると、出入口よりも低く配置された奥低部において、周部に包まれるように囲まれるので、母親の懐にいるような安心感を得ることができ、快適に休息することが可能である。また、出入口の外側には本体に着脱可能なステップを設置することもでき、このステップの設置によって、幼齢のペットや高齢で足腰が衰弱したペットは出入口を容易に乗り越えることができる。さらに、収納空間の上部に略フード状の覆いを設置したり、ペットの嗜好に応じた遊具を設置したりすることもできる。
【０００４】
また、特許文献２には、「幼児用プラスチック製踏み台」という名称で、軽量で低価格であり、洋式便器への組み合わせに適した幼児用プラスチック製踏み台に関する考案が開示されている。
この特許文献２に開示された考案は、表面に粗面からなる滑り止めと内側にリブ構造が形成された１段目及び２段目の踏み面と、これらの踏み面の周囲を囲む周側面とを備える中空構造の階段状本体と、把手可能な挿入口とを備えるものである。
そして、標準的な洋式便器の便座の高さである三十数センチメートルのほぼ３分の１の高さと３分の２の高さに位置するように１段目と２段目の踏み面が配置されており、幼児が洋式便座を使用する際には、１段目と２段目の踏み面を上がって簡単に便座に座ることができる。また、いずれの踏み台にもそれぞれ滑り止めが施されているので、幼児は安全に着地することができる。さらに、軽量に形成されて、把手可能な挿入口を備えているので、幼児でも簡単に持ち運ぶことができる。
【先行技術文献】
【特許文献】
【０００５】
【特許文献１】特開２００９−５８号公報
【特許文献２】実登第３１３６２５６号公報
【考案の概要】
【考案が解決しようとする課題】
【０００６】
しかしながら、上述の従来技術である特許文献１に開示された発明は、ペットの昇降を補助するステップを備えているが、このステップはペット用ベッドという収容空間におけるスロープの形成により生じる出入口の比較的低い段差を解消するためのものであり、ソファやベッドのような人間用に仕様された高さを有する家具には適していないという課題があった。
【０００７】
また、特許文献２に開示された考案は、幼児が使用する踏み台であり、滑り止めが設置されているが、この滑り止めはプラスチックで一体的に形成されているので、人の足裏では滑り難い構造になるが、爪が長い動物が速度を持って昇降する場合には滑って落下する危険性があるという課題があった。
【０００８】
本考案はかかる従来の事情に対処してなされたものであり、犬や猫などの家庭において飼育されるペットが室内の人間用に製造されたソファやベッドなどの段差を容易且つ安全に昇降可能にして、人間とペットの共存がより容易に可能となる段差昇降補助具を提供することを目的とする。
【課題を解決するための手段】
【０００９】
上記目的を達成するため、請求項１記載の考案である段差昇降補助具は、前面に傾斜が形成される基部と、この基部を被包する被包部と、基部の前面において被包部の外面に布設される装飾部とを有するものである。
このような構成の段差昇降補助具によれば、基部の前面に形成される傾斜は床面などの底面から段差までをなだらかに連結するように作用する。また、被包部は基部を被包して基部を保護するように作用する。さらに、装飾部は被包部の外面に布設されて被包部を装飾するように作用する。
【００１０】
また、請求項２記載の考案は、請求項１記載の段差昇降補助具において、前面に少なくとも２段の階段を備える基部と、この基部を被包する被包部と、基部の前面において被包部の外面に布設される装飾部とを有するものである。
このような構成の段差昇降補助具においては、基部の前面に具備される少なくとも２段に形成される階段は、床面などの底面から段差までを高さを分割し、より低い段差である階段で連結するように作用する。また、被包部は基部を被包して基部を保護するように作用し、さらに、装飾部は被包部の外面を装飾するように作用する。
【００１１】
そして、請求項３記載の考案は、請求項１又は請求項２に記載の段差昇降補助具において、基部の前面において、基部と被包部の間の少なくとも一部に補強部が介設されるものである。
このような構成の段差昇降補助具においては、請求項１又は請求項２に記載の考案の作用に加えて、補強部は外部からの力を受け止めて、基部の損傷を防止し、基部を保護するように作用する。
【００１２】
そして、請求項４記載の考案は、請求項１乃至請求項３のいずれか１項に記載の段差昇降補助具において、装飾部は装着具を介して被包部に対して着脱自在に設けられるものである。
このような構成の段差昇降補助具においては、請求項１乃至請求項３のいずれか１項に記載の考案の作用に加えて、装飾部は装着具を介して被包部容易に取り外したり、また、取り付けたりするように作用する。
【００１３】
そして、請求項５記載の考案は、請求項１乃至請求項４のいずれか１項に記載の段差昇降補助具において、装飾部は一の端部が延設されて基部に隣接する家具に敷設可能な延長部を具備するものである。
このような構成の段差昇降補助具においては、請求項１乃至請求項４のいずれか１項に記載の考案の作用に加えて、装飾部の一の端部が延設される延長部は、基部が隣接するソファやベッドなどの家具に敷設されるように作用する。
【００１４】
また、請求項６記載の考案は、請求項１乃至請求項５のいずれか１項に記載の段差昇降補助具において、基部は発泡スチロールで形成されるものである。
このような構成の段差昇降補助具においては、請求項１乃至請求項５のいずれか１項に記載の考案の作用に加えて、基部は軽量で低コストに形成されるように作用する。
【００１５】
さらに、請求項７記載の考案は、請求項１乃至請求項６のいずれか１項に記載の段差昇降補助具において、基部の側面に着脱自在に貼付し、ペット専用具を保持可能な保持部材を具備するものである。
このような構成の段差昇降補助具においては、請求項１乃至請求項６のいずれか１項に記載の考案の作用に加えて、保持部材は、基部の側面に貼付すると、ブラシなどのペット専用具を保持するように作用する。また、保持部材は、基部の側面に取り付けたり取り外したりが自在であるという作用を有する。
【００１６】
最後に、請求項８の考案は、請求項１乃至請求項７のいずれか１項に記載の段差昇降補助具において、被包部又は装飾部には、持ち運びを容易とするための取っ手が設けられるものである。
このような構成の段差昇降補助具においては、請求項１乃至請求項７のいずれか一項に記載の考案の作用に加えて、利用者が取っ手を持って持ち運ぶように作用する。
【考案の効果】
【００１７】
以上説明したように、本考案の請求項１に記載の段差昇降補助具においては、室内のソファやベッドのような高さを有する家具の側部に設置すると、家具から床面までの段差が基部の前面の傾斜によってなだらかに連結され、この傾斜を犬や猫などのペットが歩行することによって、ペットは段差を容易に昇降することができる。また、装飾部が設けられているので、段差昇降補助具を華やかにし、段差昇降補助具を室内の雰囲気に調和させることができる。
【００１８】
また、本考案の請求項２に記載の段差昇降補助具においては、請求項１に記載の段差昇降補助具とほぼ同様の効果を奏するが、特に、傾斜に代わって少なくとも２段の階段を備えているので、この階段によって家具等の段差は、より低い段差に分割されて、ペットの段差の昇降を容易にすることが可能となる。
【００１９】
そして、本考案の請求項３に記載の段差昇降補助具においては、基部と被包部の間の少なくとも一部に補強部が介設されているので、例えば、ペットの爪などによる引っ掻きなどの外部からの力が加わっても、基部が損傷することなく、耐久性を向上することができる。
【００２０】
そして、本考案の請求項４に記載の段差昇降補助具においては、装飾部が着脱自在であるので、汚れた場合には外して洗浄することができ、また、嗜好に応じて色調やデザインが異なった装飾部を取り付けることもできる。
【００２１】
また、本考案の請求項５に記載の段差昇降補助具においては、装飾部の一の端部が延設された延長部を備えているので、段差昇降補助具を設置するソファやベッドなどの家具においても装飾部の延設部が敷設可能となり、家具の一部を装飾したり、ペットの爪などによる損傷を防止したりすることができる。
【００２２】
そして、本考案の請求項６に記載の段差昇降補助具においては、基部が発泡スチロールで形成されているので、極めて軽量であり、運搬が容易であるとともに、低価格で提供することができる。
【００２３】
さらに、本考案の請求項７に記載の段差昇降補助具においては、ブラシやペットの玩具などのペット専用具を保持部材を用いて基部の側面に保持することができるので、ペット専用具の保管や使用において利便性が高い。
【００２４】
最後に、本考案の請求項８に記載の段差昇降補助具においては、被包部又は装飾部に設けられる取っ手を持って楽に持ち運ぶことができ、また、段差昇降補助具の被包部や装飾部に触れる必要がないので衛生的でもある。
【図面の簡単な説明】
【００２５】
【図１】本考案の第１の実施の形態に係る段差昇降補助具であるペットスロープの概念図である。
【図２】第１の実施の形態に係る段差昇降補助具であるペットスロープの構成を説明するための概念図である。
【図３】第２の実施の形態に係る段差昇降補助具であるペットステップの概念図である。
【図４】第３の実施の形態に係る段差昇降補助具であるペットステップの概念図である。
【図５】第４の実施の形態に係る段差昇降補助具であるペットステップの概念図である。
【図６】（ａ）は第５の実施の形態に係る段差昇降補助具であるペットステップの概念図であり、（ｂ）は同じくペットステップの保持部材の概念図である。
【考案を実施するための形態】
【００２６】
以下に、本考案に係る段差昇降補助具の第１の実施の形態を図１及び図２を参照しながら説明する（請求項１、請求項３、請求項４、請求項６及び請求項８に対応）。
図１は、本考案の第１の実施の形態に係る段差昇降補助具であるペットスロープの概念図である。
図１において、段差昇降補助具であるペットスロープ１は、基部２が発泡スチロールで形成された立体であり、底面に立設する二の側面２ａと、同じく底面に立設する背面２ｂと、上面において二の側面２ａ及び背面２ｂに接して平坦に形成された平坦部４と、この平坦部４と連続し、二の側面２ａ及び底面に接して傾斜が形成されたスロープ３の六面を備えている。そして、ペットスロープ１の背面２ｂ側をソファやベッドの側部に配して設置すると、スロープ３は、床面からソファやベッドまでの段差をなだらかな斜面でつなぐことができる。したがって、犬や猫など室内で飼育されるペットは、スロープ３を歩行することによって、ソファやベッドなどの段差を容易に昇降することができる。特に、小型のペットや幼齢或いは老齢のペットにおいては足腰を痛めることなく、段差を昇降することができる。
【００２７】
また、平坦部４は必ずしも設置する必要はないが、平坦部４を設けることによって、幅広い段差に対応することが可能となる。すなわち、ソファやベッドなどの家具の高さは様々であり、ペットスロープ１の高さが対象とする家具の高さに達しない場合に、平坦部４はペットがスロープ３を駆け上がっていったん足を止めて家具までの段差へ上がる際の踏み面となる。逆に、家具などの段差から降りる場合は、まずは、段差から平坦部４まで降りて、そして、スロープ３を駆け降りることによってペットは安全に段差を降りることができる。
また、ペットスロープ１は基部２を発泡スチロールで構成しているので軽量となり、運搬しやすい。そして、発泡スチロールは安価であるので、ペットスロープ１を低価格で製造することが可能となる。なお、発泡スチロール以外の材質でも構成することも可能であり、例えば、木材、プラスチック又はアルミニウムなどの金属などで構成したり、他にも、綿やプラスチック製のペレットなど、一般的な枕やクッション材料などを用いることができる。
【００２８】
次に、第１の実施の形態に係る段差昇降補助具であるペットスロープの構成について図２を参照しながら説明する。
図２は、第１の実施の形態に係る段差昇降補助具であるペットスロープの構成を説明するための概念図である。
図２において、ペットスロープ１は、基部２全体が黒布６で被包されており、また、基部２と黒布６の間には補強部材５が設けられている。そして、黒布６の外面でスロープ３と平坦部４の部分、すなわち基部２の前面には、ファブリックカバー７が布設されている。
黒布６は、基部２全体を被包して基部２を保護するとともに、基部２を構成する材質を隠す役割を担っているものである。黒布６の材質は特に限定されるものではないが、基部２を保護するためにもある程度の強度を有するものが好ましい。また、色も黒色に限定されないが、基部２の地色が透けないような色を選定する方が意匠面において有利となる。さらには、ファブリックカバー７の色調をよりきれいに映す色を選定するとよい。
また、黒布６を設置することにより、基部２を構成する材質の形状にも選択の幅が広がり、基部２には全体の形状を一体的に形成した発泡スチロール以外にも、粒状や塊状などの小さな形状の複数の発泡スチロールを用いることができる。なお、発泡スチロールに限定することなく、前述した一般的な枕やクッション材料などに用いられる綿やプラスチック製のペレットなども粒状や塊状の形状で用いることができる。
【００２９】
補強部材５は、基部２の強度を補強し、また、基部２の損傷を防止するものである。設置方法は、黒布６と同様に基部２全体を被包するように設置してもよいし、基部２の前面であるスロープ３及び平坦部４に布設するようにしてもよい。主に、ペットは基部２のスロープ３及び平坦部４を歩行するので、これらのスロープ３及び平坦部４が最も強度を必要としている。したがって、補強部材５は基部２の前面であるスロープ３及び平坦部４のみに布設すると、補強部材５の使用量の低減によってコストダウンと軽量化が図れる。また、補強部材５に用いる材質は基部２よりも強度を備えるものであれば特に限定されるものではなく、例えば、ウレタン樹脂などが挙げられる。
【００３０】
ファブリックカバー７は、ペットスロープ１の意匠性を向上させるものであり、基部２の前面であるスロープ３及び平坦部４に装着具を介して着脱自在に設置されている。装着具には、ホック、面ファスナーやジッパーなどを用いることができる。なお、ホック、面ファスナー及びジッパーなどの装着具は対で構成されるので、一方がファブリックカバー７に設置され、他方が黒布６に設置されて掛合したり掛合を解除したりしてファブリックカバー７の着脱を操作する。また、装着具の設置場所は、ファブリックカバー７が容易に外れない程度に固定すればよく、例えば、ホックの場合は、基部２のスロープ３及び平坦部４のそれぞれの四角と、それに対応するファブリックカバー７の位置などである。また、面ファスナーやジッパーの場合は、基部２のスロープ３及び平坦部４のそれぞれの四辺と、それに対応するファブリックカバー７の位置などである。
このようにファブリックカバー７は着脱自在であるので、使用時に汚れた場合には、取り外して洗濯することができる。また、様々な意匠を有するファブリックカバー７を展開することにより、使用者の嗜好に合ったものを選定して使用することも可能である。なお、ファブリックカバー７の材質は布製以外にも、紙やプラスチックなども用いることもでき、紙やプラスチック製にして使い捨ての形態を取ると、衛生面を配慮した構成となる。
なお、ファブリックカバー７は、必ずしも基部２の前面のみに設けるものでなくともよく、側面２ａ及び背面２ｂにも装着具を介して着脱自在に設けてもよい。前面以外においても、汚れなどがついて洗濯する必要がある場合やペットスロープ１全体で意匠性を自由に高めたいという利用者のニーズに合致する場合があるためである。
また、図２には図示していないが、基部２を被包する黒布６に取っ手をつけるようにしてもよい。具体的には、太めの紐を輪にしてその端部を黒布６に縫い付けるようなものが考えられる。他にも片状の突起を設けてもよいし、球状やキューブ状、あるいはグリップ状の突起を設けてもよい。利用者が掴み易い形状であれば、その形状は問わないものである。また、材質としては黒布６と同じ繊維状のものでもよいし、プラスチック製のものでもよい。さらに、黒布６における位置としては、基部２の背面や側面などが望ましく、その個数も２つ程度が望ましいと考えられるが、限定するものではない。
取っ手は黒布６のみならず、ファブリックカバー７上に設けてもよい。
さらに、黒布６の底面側に滑り止めを設けてもよい。滑り止めを設けることで、ソファの傍に固定が容易となる。滑り止めとしては特に限定しないが、黒布６よりも摩擦係数の大きな化学繊維などを縫い付けたり貼付しておくとよい。
これらの取っ手や滑り止めに関しては、他の実施の形態においても共通である。
【００３１】
続いて、本考案に係る段差昇降補助具の第２の実施の形態及び第３の実施の形態を図３及び図４を参照しながら説明する（請求項２乃至請求項４、請求項６に対応）。
図３は、第２の実施の形態に係る段差昇降補助具であるペットステップの概念図である。
図３において、段差昇降補助具であるペットステップ８は、前述の第１の実施形態のペットスロープにおいてスロープの部分が階段状に形成されたものであり、発泡スチロールで構成される基部２の前面に第１の階段部９と第２の階段部１０からなる二段の階段を備えている。
したがって、ペットステップ８を室内のソファやベッドなどの段差を有する家具の側部に設置すると、基部２の前面の第１の階段部９及び第２の階段部１０によって、家具の段差がより低い段差となるので、ペットはこれらの階段部を駆け上がったり駆け降りたりして、容易且つ安全に段差を昇降することができる。
【００３２】
次に、図４は、第３の実施の形態に係る段差昇降補助具であるペットステップの概念図である。
図４において、段差昇降補助具であるペットステップ１１は、図３に示した第２の実施の形態におけるペットステップの階段を三段に形成したものであり、基部２の前面に、第１の階段部１２、第２の階段部１３及び第３の階段部１４を有している。
したがって、ペットステップ１１を室内のソファやベッドなどの段差のある家具の側部に設置すると、基部２の前面の第１の階段部１２、第２の階段部１３及び第３の階段部１４によって、家具の段差がさらに細かく分割されより低い段差となるので、ペットはこれらの階段部を歩行して容易且つ安全に段差を昇降することができる。
なお、第２の実施の形態及び第３の実施の形態においては、二段及び三段の階段を具備しているが、二段以上であれば階段の段数は特に限定されるものでなく、四段や五段の構成であってもよい。
また、第２の実施の形態及び第３の実施の形態では、いずれの基部２にも、黒布、補強部材及びファブリックカバーが装着されているが、これらの構成要素については、第１の実施の形態と同様に構成されるものであり、その説明は省略する。
さらに、第２の実施の形態及び第３の実施の形態においては、それぞれ二段あるいは三段の階段を備えているため、これらを２つ逆向きに重ねることで、直方体にすることが可能である。従って、ペットの段差昇降補助具として使用しない場合に収納する際には便利であり、また、ソファの傍においてもスツールとして利用することもできる。
【００３３】
次に、本考案に係る段差昇降補助具の第４の実施の形態を図５を参照しながら説明する（特に、請求項５に対応）。
図５は、第４の実施の形態に係る段差昇降補助具であるペットステップの概念図である。
図５において、段差昇降補助具であるペットステップ１１は、図４に示した第３の実施の形態におけるペットステップと同様の形態のものであり、基部２の前面に、第１の階段部、第２の階段部及び第３の階段部を有する階段形状を有しており、ソファ１７の前面に隣接するように設置されている。そして、基部２の前面で、図示していないが被包部である黒布に布設されるファブリックカバー１５は、一の端部が延設された延長部１６を有しており、この延長部１６は、ソファ１７の座部１８と背部１９にも敷設可能になっている。したがって、ペットがペットステップ１１を駆け上がってソファ１７に上がり、座部１８に敷設されたファブリックカバー１５の延長部１８上に留まれば、座部１８及び背部１９は、延長部１８によってペットの爪などによる損傷や涎などによる汚れを防止することができる。また、延長部１６の端部やその途中に面ファスナーなどの装着具を備えると、ソファ１７との固定が可能であり、ペットが昇降時などに容易に外れることがなく便利となる。なお、延長部１６は、ファブリックカバー１５と分離して設置することも可能であり、この場合は、延長部１６とファブリックカバー１５のそれぞれの端部において着脱自在な装着具を設けるとよい。また、本実施の形態では、延長部１６は、ファブリックカバー１５と同様の幅を備えているが、形状は特に限定されるものではない。例えば、ソファの座面や背もたれの一部あるいは全面を覆うようなものであってもよい。
なお、この延長部１６及びファブリックカバー１５には、防水加工が施された防水シートを採用することで、ペットによる排泄などに対応することが可能となる。また、脱臭機能を備えた脱臭シートを採用してもよい。さらには、脱臭用の炭や活性炭などを延長部１６やファブリックカバー１５を２面構造としてその間に介挿したり、別途ポケットのような収納部を設けて、そこへ収容してもよい。そのような場合には、脱臭用の炭や活性炭をパック品として交換可能としておくとよい。
延長部１６やファブリックカバー１５の端部を上方へ少し起こしてペットからの排泄物がソファへこぼれることを防止可能にしておくこともソファを衛生的に維持することに効果がある。
なお、上述の実施例は、延長部１６を備えていない他の実施例におけるファブリックカバーにおいても共通である。
【００３４】
次に、本考案に係る段差昇降補助具の第５の実施の形態を、図６を参照しながら説明する（特に、請求項７に対応）。
図６（ａ）は、第５の実施の形態に係る段差昇降補助具であるペットステップの概念図であり、（ｂ）は、同じくペットステップの保持部材の概念図である。
図６（ａ）において、段差昇降補助具であるペットステップ８は、図３に示した第２の実施の形態におけるペットステップと同様の形態のものである。そして、基部２の側面２ａには、基部２を被包する黒布（図示せず）の外面に保持部材であるバンド２０ａ，２０ｂが設置されており、バンド２０ａには、ペット用のブラシ２１がバンド２０ａと黒布の隙間に挿入されて保持されている。このバンド２０ａ，２０ｂには、ペット用ブラシ以外にもペットの玩具やペットの毛を清掃する清掃具などのペット専用具を保持することができ、室内に散らかりやすいペット専用具を保管したり、また、清掃具においては、ファブリックカバー７に付着した毛などを清掃したりするのに便利である。なお、バンド２０ａ，２０ｂは、基部２の側部に着脱自在に設けられるものであり、設置場所は基部２の側部であればいずれでもよい。
また、図６（ｂ）において、バンド２０は、裏面側の両端部それぞれに面ファスナー２２ａ，２２ｂが設置されており、この面ファスナー２２ａ，２２ｂが、基部２を被包する黒布に止着することによって基部２の側面２ａに固定される。なお、面ファスナーが止着しにくい場合には、黒布にも対となる面ファスナーを設置するとさらに強固な固定となる。また、固定手段は、面ファスナーに限定されるものでなく、ホックなどを用いることもできる。
また、バンド２０の形状は長方形に限定されるものでなく、例えば、両端部に加えて下底部にも面ファスナーを設置してポケット形状にすることなども可能である。
【００３５】
このように構成された本実施の形態では、室内のソファやベッドなどの段差を有する家具の傍に設置すると、段差をなだらかなスロープ状にしたり、段差を分割してより低い段差となる階段にしたりすることができるので、特に、幼齢や老齢のペットが足腰を痛めることなく、安全且つ容易に段差を昇降することができる。
また、基部を発泡スチロールで形成しているので軽量であり、また補強部材を具備しているので、耐久性もある。そして、着脱自在なファブリックカバーを備えているので、衛生的であるとともに意匠性にも優れている。
また、ファブリックカバーを延設すると、ソファなどの家具においてもファブリックカバーを敷設することが可能であり、家具の損傷防止や防汚の機能を発揮する。
そして、保持部材を具備すると、ペットに必要なペット専用具の保管に便利であり、また、清掃などの作業を効率良く行うことができる。
【産業上の利用可能性】
【００３６】
以上説明したように、請求項１乃至請求項８に記載された本考案は、ペットが安全且つ容易に室内の段差を昇降できる段差昇降補助具を提供可能であり、一般家庭などにおいて利用可能である。
【符号の説明】
【００３７】
１…ペットスロープ  ２…基部  ２ａ…側面  ２ｂ…背面  ３…スロープ  ４…平坦部  ５…補強部材  ６…黒布  ７…ファブリックカバー  ８…ペットステップ  ９…第１の階段部  １０…第２の階段部  １１…ペットステップ  １２…第１の階段部  １３…第２の階段部  １４…第３の階段部  １５…ファブリックカバー  １６…延長部  １７…ソファ  １８…座部  １９…背部  ２０，２０ａ，２０ｂ…バンド  ２１…ブラシ  ２２ａ，２２ｂ…面ファスナー 
【図１】
0003154739.tif 000003
【図２】
0003154739.tif 000004
【図３】
0003154739.tif 000005
【図４】
0003154739.tif 000006
【図５】
0003154739.tif 000007
【図６】
0003154739.tif 000008